(57)【要約】【課題】  設置場所をとらず、操作が容易であって、耐久性に優れた簡易ゴミ置場を提供する。【解決手段】  接地板に軸受板を平行に立設してなる固定ベースと、固定ベースに固着される直立フレームと、直立フレームに取り付けられる背板と、下端部を前記軸受板の間に回動自在に軸支される起倒フレームと、軸受板の一方側に平行に固定したアームを有するパネルと、パネルの間に回動自在に軸支したフックガードと、起倒フレームに取り付ける可撓性被覆材と、さらに可撓性被覆材の上面のゴミ投入口を塞ぐ蓋とからなる。また、軸受板の内部には、操作用フレームを規制するバネ作用を有するストッパーを設けてなり、フックガードはパネル内に配設したバネ材によって付勢されている。展開状態においては、操作用フレームがほぼ水平状態となり、中間フレームは下端が互いに係止することによって傾斜角度を規制するように構成されている。【選択図】  図１
2005067875.tif 000002
【特許請求の範囲】
【請求項１】
接地板に２枚の軸受板を平行に立設してなる固定ベースと、固定ベースに直立して固着される直立フレームと、前記直立フレームに取り付けられる背板と、下端部を前記軸受板の間に回動自在に軸支される起倒フレームと、前記軸受板の一方側に平行に固定したアームを有するパネルと、前記パネルの間に回動自在に軸支したフックガードと、前記起倒フレームに取り付ける可撓性被覆材と、さらに前記可撓性被覆材の上面を開口させて形成したゴミ投入口を塞ぐ蓋とからなり、
前記起倒フレームは、起倒を操作する操作用フレームと、前記操作用フレームと直立フレームとの間に配設される複数の中間フレームとからなり、前記操作用フレームの下端部には取付軸を挿入する長孔を設けると共に、中間フレーム側に斜めに切り落とした傾斜面を形成し、操作用フレーム及び中間フレーム相互間に間隙を設けると共に、中間フレームは、中間フレームの下端面と接地板との間に隙間を設けて前記軸受板の間に軸支し、
前記軸受板の内部には、操作用フレームを規制するバネ作用を有するストッパーを設けてなり、
前記フックガードはパネル内に配設したバネ材によって付勢されており、
展開状態においては、操作用フレームがほぼ水平状態となり、中間フレームは下端が互いに係止することによって傾斜角度を規制するようにしたことを特徴とする簡易ゴミ置場。
【請求項２】
操作用フレームは、直立させたとき、下端部に設けた長孔の下面と取付軸との間に間隔を有するように軸支されていることを特徴とする請求項１に記載の簡易ゴミ置場。
【請求項３】
パネルの上端部には、凹部を設けたアームが取り付けられており、操作用フレームには、突起が水平方向に設けられており、操作用フレームを直立させたとき、前記突起が凹部に係合するようにしたことを特徴とする請求項１または２に記載の簡易ゴミ置場。
【請求項４】
中間フレームは操作用フレームよりも小径のパイプにより形成したことを特徴とする請求項１〜３のいずれか１項に記載の簡易ゴミ置場。
【請求項５】
中間フレームは操作用フレームよりも小径のパイプにより形成されており、蓋は、長方形状であって一辺が中間フレームに回動自在に取り付けられていることを特徴とする請求項１〜３のいずれか１項に記載の簡易ゴミ置場。
【発明の詳細な説明】
【技術分野】
【０００１】
この発明は、各家庭から持ち出される生ゴミ等の一般ゴミをゴミ回収業者が回収するまでの間、一時的に貯留しておく簡易ごみ置場に係り、詳しくは、使用しないときには折り畳んで置くことができ、使用するときに展開してネットを立体的に組み立てて一般ゴミを覆うゴミ収納空間を形成することができるようにした折り畳み自在な簡易ゴミ置場に関する。
【背景技術】
【０００２】
各家庭の生ゴミ等の一般ゴミは、回収予定日に所定の場所に一時貯留され、ゴミ回収業者によって回収される。しかしながら、生ゴミ等には、カラス、猫、犬等の餌となる残飯等が含まれているために、覆いを掛けることなく単に貯留しておくだけでは、カラス、猫等に食い散らかされてしまい、周囲に飛散するばかりでなくゴミ収集の際に迅速な作業ができなくなる。
【０００３】
このような被害は、ゴミ収集を行っている各自治体に共通な問題となっており、特に、大都市においては、看過し難いものとなっている。カラスの場合には、ゴミを飛散させるばかりでなく子供など比較的弱い者を襲うこともあり、危険でもある。そこで、例えば、特許文献１に記載されているように、直立姿勢になっているパレットを引いて水平姿勢にするだけで、折り畳まれていた面状部材によってゴミ収納空間を形成することができる折り畳みゴミ収納装置が提案されている。
【０００４】
上記特許文献１の折り畳みゴミ収納装置は、フレーム枠に対して一辺側を不動端とし他辺側を揺動端として、直立姿勢と水平姿勢の間を揺動するパレットと、このパレットにつれて同じく直立姿勢と水平姿勢の間を揺動し、外側に可撓性の面状部材を取り付けた複数本の内骨材を設けてなり、内骨材を直立姿勢にしたときに、内骨材に取り付けた面状部材を内骨材内に収納し、パレットを水平姿勢に倒したときに、複数本の内骨材を介して前記面状部材を展開することによってゴミ収納空間を形成するようにしたものである。
【特許文献１】特開２０００−２８９８０３号公報
【発明の開示】
【発明が解決しようとする課題】
【０００５】
しかしながら、上記特許文献１の折り畳みゴミ収納装置には、次のような問題がある。すなわち、内骨材に対応する揺動軸は、衝立板の下端部の傾斜に沿って相互に階段状に近接配置されており、互いに独立して揺動するように構成されている。そして、最初の１本を水平姿勢とし最後の１本を直立姿勢として、残る内骨材を等角度に振り分けた状態で、可撓性の面状部材を前記各内骨材に周囲から囲むようにして取り付け、面状部材は適度に緊張するように設定されている。
【０００６】
このように、内骨材の振り分け角度は、一体に固定した面状部材の緊張によって保持されているから、パレット及び内骨材の直立姿勢と水平姿勢とを繰り返すことにより、面状部材と内骨材との取り付け部分に過度の負担がかかって外れたり、面状部材自体が破損するおそれがある。
【０００７】
また、パレットの直立姿勢は、軸受板に取り付けたフック金具をパレットの裏面に設けた接地ステーに係止することによって固定されているので、水平姿勢にするには、フック金具を接地ステーから解除して引き出さなければならない。従って、片手で押さえながら、フック金具の係止、解除の操作をしなければならないと共に、引き出すと同時にパレット、内骨材及び面状部材が一気に倒れること
になり、慎重に引き下ろさなければならない。
【０００８】
また、直立姿勢で取り付ける衝立て板と軸受板は、一対の脚ベースに取り付けられているために、面状部材及び内骨材を折り畳み状態にした場合でも、脚ベースの先端部は突出することになり、通行障害となったり、つまずいて怪我をするおそれもある。
【０００９】
この発明は、かかる現況に鑑みてなされたもので、操作が簡単で、しかも耐久性に優れた簡易ゴミ置場を提供するものである。
【課題を解決するための手段】
【００１０】
この発明は上記目的を達成するために次のような構成とした。この発明に係る簡易ゴミ置場は、接地板に２枚の軸受板を平行に立設してなる固定ベースと、固定ベースに直立して固着される直立フレームと、前記直立フレームに取り付けられる背板と、下端部を前記軸受板の間に回動自在に軸支される起倒フレームと、前記軸受板の一方側に平行に固定したアームを有するパネルと、前記パネルの間に回動自在に軸支したフックガードと、前記起倒フレームに取り付ける可撓性被覆材と、さらに前記可撓性被覆材の上面を開口させて形成したゴミ投入口を塞ぐ蓋とからなり、
前記起倒フレームは、起倒を操作する操作用フレームと、前記操作用フレームと直立フレームとの間に配設される複数の中間フレームとからなり、前記操作用フレームの下端部には取付軸を挿入する長孔を設けると共に、中間フレーム側に斜めに切り落とした傾斜面を形成し、操作用フレーム及び中間フレーム相互間に間隙を設けると共に、中間フレームは、中間フレームの下端面と接地板との間に隙間を設けて前記軸受板の間に軸支し、
前記軸受板の内部には、操作用フレームを規制するバネ作用を有するストッパーを設けてなり、
前記フックガードはパネル内に配設したバネ材によって付勢されており、
展開状態においては、操作用フレームがほぼ水平状態となり、中間フレームは下端が互いに係止することによって傾斜角度を規制するようにしたことを特徴とする。
このように構成することによって、可撓性被覆材によってではなく、中間フレーム自体によって傾斜角度が規制され、可撓性被覆材に過度の負担をかけることがない。また、ゴミは上面を開口させて形成したゴミ投入口から容易に投入することができる。
【００１１】
前記操作用フレームは、直立させたとき、下端部に設けた長孔の下面と取付軸との間に間隔を有するように軸支されていることが好ましい。このように形成することによって、操作用フレームを直立させたとき上下動させることができ、ストッパーによって操作用フレームの倒れを防止することができる。また、パネルの上端部には、前端に凹部を設けたアームを取り付け、操作用フレームには、水平方向に突起を設け、操作用フレームを直立させたとき、前記突起が凹部に係合するように形成することが好ましい。このように形成することによって、操作用フレームの倒れを防止することができる。さらに、中間フレームは操作用フレームよりも小径のパイプにより形成することが好ましい。中間フレームを小径のパイプにより形成することによって、軸受板の間隔を広くすることなくパネルを取り付けることができる。さらに、蓋は、長方形状であって一辺が中間フレームに回動自在に取り付けられていることが好ましい。このように形成することによって、フレームを折り畳んだとき、蓋を内部に収納することができる。
【発明の効果】
【００１２】
上記説明から明らかなように、この発明の簡易ゴミ置場によれば、折り畳み状態から操作用フレームを引き出すだけで、簡単に可撓性被覆材で覆われたゴミの収納空間を形成することができる。ゴミの収納空間を形成する起倒フレームの傾斜角度は、起倒フレームの下部が互いに係止することによって規制される。従って、展開状態への操作、折り畳み状態への操作が簡単で、かつ安全に行うことができる。
【００１３】
起倒フレームの傾斜角度は、互いが係止することによって規制されるから、可撓性被覆材との取り付け部分に過度の負担がかかることがなく、可撓性被覆材の損傷を防止することができる。また、ゴミの投入口を上面に設けたのでゴミの投入が容易であると共に、蓋を設けたのでカラス等の侵入を防止することができる。また、蓋を回動自在とすることにより、内側に収納することができるから、折り畳みに支障を来すことがない。
さらに、軸受板には、パネルを立設すると共に、折り畳む際にアームに可撓性被覆材が引っかかるのを防止するフックガードをアームから出没するように回動自在に設けたから、スムーズに折り畳むことができる。
【００１４】
また、専有面積が小さいので、狭い場所に固定しても交通の妨げとなることがない。しかも、前方に突出する部分はないから、道路の側端に設置しても安全に通行することができる。さらに、折り畳み状態においては、操作用フレームの突起がアームの凹部に係止し、さらに、操作用フレームを下端部に設けた長孔によって上下動可能とし、ストッパーに当接させる構成としたので、二重のロック構造により安全に使用することができる。
【発明を実施するための最良の形態】
【００１５】
以下に、この発明を図示する実施形態に基づいて詳細に説明する。簡易ゴミ置場は、固定ベース１０，背板を有する直立フレーム２０、起倒自在なフレーム３０、及び可撓性被覆材４０とからなる。なお、図１は、使用時に展開した状態を示す斜視図、図２は、同じく内側から見た一部拡大斜視図、図３は、固定ベース１０とフレームとの関係を示す要部断面側面図である。
【００１６】
前記固定ベース１０は、接地される水平な接地板１１の側端に沿って平行な軸受板１２、１２を立設するとともに、前記軸受板１２，１２の一方側に寄せて立設した平行なパネル１７，１７と、前記パネル１７，１７の間に配設されたフックガード１８ことによって構成されている。前記接地板１１と軸受板１２、１２によって凹状の溝１３が形成されている。図３及び図５，６に示す通り、前記凹状溝１３の一端側に直立フレーム２０が立設され、前記凹状溝１３内に下端部を挿入された起倒フレーム３０が回動自在に軸支される。
【００１７】
前記軸受板１２、１２の間隔は、前記直立フレーム２０及び起倒自在な起倒フレーム３０の下端部が挿入し、パネル１７，１７を取り付けることができる幅寸法を有していればよい。前記接地板１１には、軸受板１２、１２を立設した側端とは反対側の側端に沿ってアンカー孔１４が設けられており、軸受板１２、１２には水抜孔１５が設けられている。また、前記凹状溝１３内には、ストッパー１６が設けられている。前記ストッパー１６は、バネ作用を有する略Ｌ字状のプレートであって、一方側が起立するように固着されている。前記ストッパー１６は、後述する操作用フレームを水平状態に倒したときに、直立フレーム２０側へスライドするのを防止するとともに、操作用フレームを垂直状態に起立させたときに、操作用フレームが倒れるのを防止するものである。
【００１８】
前記直立フレーム２０は、パイプ材を略コ字状に屈曲させて形成されており、下端部が前記凹状溝１３の端部に溶接等によって一体に固着されている。直立フレーム２０は、固定ベース１０の接地板１１に対してほぼ直立した状態で固着されており、直立フレーム２０の内面側または裏面側に直立フレー２０の内側を閉じる背板２１を一体に取り付けてなる。前記直立フレーム２０の略中央上面には、分別ゴミのゴミ出し日を表示するカレンダー表示部２２が設けられている。
【００１９】
また、パネル１７，１７は、前記軸受板１２，１２の一方に接して平行に立設されており、軸受板１２に一体に固定されている。前記パネル１７，１７は、起倒フレーム３０を起立させて折り畳む際に、起倒フレーム３０の間に前記可撓性被覆材４０が挟み込まれるのを防止するものであって、適宜の大きさ、例えば幅寸法が９０ｍｍ、高さ寸法が２５０ｍｍ程度に形成されている。前記パネル１７，１７の間にフックガード２３が回動自在に取り付けられており、パネル１７の一方の上端部にアーム２４が固着されている。
【００２０】
前記パネル１７，１７の間には、一端部を回動自在に軸支したフックガード２３が配設されている。前記フックガード２３は、図２〜図５に示すように、下端に向かって次第に窄まった略三角形状に形成されており、上端部がパネル１７，１７の上端から突出するようにパネル１７，１７の下方に軸支されている。また、フックガード２３は、パネル１７，１７のうち一方側の後端部（直立フレーム２０側）に設けた取付板２５との間に配設した略Ｖ字状バネ棒２６によって付勢されている。
【００２１】
前記略Ｖ字状バネ棒２６は、一方の端部が前記取付板２５に固着されており、他方の端部はフリーな状態でフックガード２３の背面に当接している。よって、フックガード２３は、起倒フレーム３０が展開状態においては上端部が前記パネル１７、１７及びアーム２４の先端部から突出している。前記フックガード２３は、後述するように起倒フレーム３０を折り畳んで直立フレーム２０に近接したときは、操作用フレーム３１に突設した係止片に押し返されながら立ち上がり、可撓性被覆材４０がアーム２４の先端部に絡みつくのを防止することができる。
【００２２】
一方、起倒フレーム３０の操作用フレーム３１による前記アーム２４とのロックが解除されると、バネ棒２６による押圧力によって起倒フレーム３０は押し出されることになるから、起倒フレーム３０を引き出すことなく支えながら展開状態とすることができる。従って、起倒フレーム３０の操作を容易に、しかも安全に行うことができる。なお、前記バネ棒２６は、フックガード２３を押圧するものであればよく、コイルバネ、板バネ、ゴム等任意のバネ材を用いることができる。
【００２３】
次に、起倒フレーム３０は、図５及び図６に示すように、一番手前の操作用フレーム３１と、前記操作用フレーム３１と直立フレーム２０との間に配置される中間フレーム３２，３３，３４からなる。前記操作用フレーム３１は、直立フレーム２０とほぼ同径寸法のパイプによって形成されており、中間フレーム３２，３３，３４は、直立フレーム２０及び操作用フレーム３１よりも小さな径寸法のパイプによって形成されている。
【００２４】
操作用フレーム３１の下端部には、取付軸３５を挿通する長孔３１ａが軸方向に設けられており、さらに、中間フレーム３２側には、斜めに切り落とした傾斜面３１ｂが形成されている。前記長孔３１ａによって、操作用フレーム３１を起立させたとき上下動が可能となる。また、傾斜面３１ｂによって、取付軸３５と中間フレーム３２の取付軸との段差を小さくして展開したときほぼ水平にすることができ、従って、軸受板１２、１２の高さを低く押さえることができる。
【００２５】
操作用フレーム３１は、その下端部を前記軸受板１２、１２の間に挿入し、長孔３１ａに軸受板１２、１２に軸支する取付軸３５を挿通することによって、固定ベース１０に回動自在に取り付けられる。取付軸３５は、操作用フレーム３１を直立させたとき、操作用フレーム３１の下端面が接地板１１に載置するとともに、長孔３１ａの下端面との間に間隔を有するように軸受板１２、１２に挿入されている。
【００２６】
また、操作用フレーム３１の垂直部の内側面には、上述のアーム２４の凹部２４ａに係止する係止片３１ｃが突設されている。前記突起３１ｃは、操作用フレーム３１を持ち上げて起立させながらほぼ直立状態で降ろしたときに、操作用フレーム３１の下端面が接地板１１に載置するとともに、突起３１ｃが前記凹部２４ａに係止するように構成されている。
【００２７】
中間フレーム３２，３３，３４は、互いが僅かに離れていると共に、中間フレーム３２は操作用フレーム３１と、中間フレーム３４は直立フレーム２０と、それぞれ僅かに離れて配設されている。また、中間フレーム３２，３３，３４の下端面は、接地板１１から浮いた状態で取付軸３６によって軸受板１２、１２に軸支されている。前記各取付軸３６は、ほぼ水平に配設されており、中間フレーム３２，３３，３４を展開状態に倒したとき、各下端が係止するように、下端面は接地板１１から所定寸法離れている。
【００２８】
このように、中間フレーム３２，３３，３４の下端面を接地板１１から浮いた状態で軸支することによって互いの間隔を狭くすることができる。従って、中間フレーム３２，３３，３４の下端面を接地板１１に当接するように軸支するには、前記中間フレーム３２，３３，３４の下端面を円弧状に形成し、互いの間隔を大きくすればよい。
【００２９】
前記構成において、操作用フレーム３１及び中間フレーム３２，３３，３４を直立した折り畳み状態から倒すと、図３に示すように、中間フレーム３４の下端が直立フレーム２０に係止してその傾斜角度が規制され、同様にして、中間フレーム３３の下端が中間フレーム３４に係止してその傾斜角度が規制され、中間フレーム３２の下端が中間フレーム３３に係止してその傾斜角度が規制される。
【００３０】
また、操作用フレーム３１を倒すときには、下端部がストッパー１６のバネ作用によって押さえられているから、徐々に倒れることになり、中間フレーム３２，３３，３４の係止状態と相まって僅かに支えるだけで倒すことができる。一方、操作用フレーム３１は、傾斜面３１ｂによって中間フレーム３２と係止することはなくほぼ水平状態まで倒すことができる。前記中間フレーム３２，３３，３４は、上記のように下端部が互いに係止するばかりでなく、反対側のフレームに寄り掛かる状態となって傾斜角度が規制されることになる。
【００３１】
次に、図７〜図１０に基づいて、ゴミ投入口を塞ぐ蓋について説明する。蓋５０は、枠体５１と、前記枠体に取り付けられる取っ手５２と、枠体５１の両側端側に取り付けられるガイドバー５３と、前記ガイドバー５３を中間フレーム３４に回動自在に取り付ける連結具５４とからなる。
【００３２】
前記枠体５１は、ゴミを投入する際の適当な大きさの投入口を塞ぐ大きさであって、展開状態における中間フレーム３３と中間フレーム３４の間隔より僅かに小さく形成されており、可撓性被覆材４０が取り付けられている。取っ手５２は、略コ字状に形成されており、枠体５１の前部中央に内向きに固着されている。前記ガイドバー５３は、図７〜１０に示すように、まず、バーの一端を水平方向直角に折り曲げて水平部５３ａを形成し、次いで水平部５３ａの先端部を水平方向斜めに折り曲げて傾斜部５３ｂを形成し、さらに、傾斜部５３ｂの先端部を水平方向に前記バーとは直角方向に折り曲げて固定部５３ｃを形成してなる。
【００３３】
一方、バーの他端部は前記水平部５３ａの方向に略Ｕ字状部５３Ａを形成する。即ち、バーに対して下向きに直角に折り曲げて下向部５３ｄを形成し、さらに前記水平部５３ａと同一方向に水平に折り曲げて水平部５３ｅを形成し、再度上向きに折り曲げて上向部５３ｆを形成して略Ｕ字状部５３Ａとなし、最後に水平部５３ｅと同じ方向に水平に折り曲げて固定部５３ｇを形成してなる。
【００３４】
前記構成のガイドバー５３は、前記固定部５３ｃを枠体５１の前部側面に固着し、固定部５３ｆを枠体５１の後部下面に固着してなる。ガイドバー５３は、枠体５１に固着される前に連結具５４に摺動自在に挿入される。連結具５４は、中間フレーム３４を挿通する環部５４ａと、ガイドバー５３の挿通孔を有する突片５４ｂと、前略Ｕ字状部５３Ａを係止する係止片５４ｃによって形成されている。前記突片５４ｂと係止片５４ｃは、記環部５４ａの外周面に軸方向に突設されている。
【００３５】
なお、蓋５０は、上記実施形態のように垂直方向に引き上げたり、降ろしたりする構成に限定されるものではなく、蓋の枠を連結具によって中間フレームに回動自在に取り付ける構成とすることもできる。この場合には、取り付けた中間フレームを中心にして回動することになるから、蓋を取り出す場合には、取り付け側とは反対側を持って中間フレームの間隔を拡げながら引き上げ、中間フレームを戻して係止させればよく、また、蓋を収納する場合には、中間フレームとの係止を解除し、そのまま引き下ろせばよい。
【００３６】
次に、可撓性被覆材４０のフレームへの取り付け構造について説明する。可撓性被覆材４０は、各種のネット、ビニールシート、防水布等の可撓性を有するものであって、前記中間フレーム３２，３３，３４を取り囲むように被覆され、直立フレーム２０と操作用フレーム３１では補助フレーム４３を介して一体に取り付けられている。
【００３７】
前記補助フレーム４３は、図１１，１２に示すように、先端部を湾曲させた垂直部４４、４４と、前記垂直部４４、４４の間に配置する水平部４５を連結管４６によって連結してなる。まず、前記連結管４６を、例えば垂直部４４、４４の先端部に固着すると共に、内部に押しバネ４７を装着しておく。そして、組み立てるには、水平部４５の端部を前記連結管４６の一方にバネ４７に抗して挿入し、次いで、水平部４５の他端部を他方の連結管４６方向に戻しながら挿入すればよい。
【００３８】
前記補助フレーム４３は、クリップ６０によって操作用フレーム３１及び直立フレーム２０に取り付けられる。前記クリップ６０は、図１３に示すように、バネ性を有する針金により形成してなり、補助フレーム４３を挿通する環６１と、操作用フレーム及び直立フレーム２０の内面に係止する係止部６２、６２とからなる。前記クリップ６０を操作用フレーム３１及び直立フレーム２０に取り付けるには、図１４に示すように、操作用フレーム３１及び直立フレーム２０に適宜の間隔で差込孔３１ｄを設け、前記差込孔３１ｄにクリップ６０の係止部６２、６２を差し込んで係止させればよい。係止部６２を重ねるようにして差込孔３１ｄに差し込めば、操作用フレーム３１及び直立フレーム２０の内部で拡がって係止するから抜き取ることはできない。
【００３９】
そして、可撓性被覆材４０として、例えばネットを操作用フレーム３１及び直立フレーム２０に取り付けるには、まずネットの端縁を操作用フレーム３１及び直立フレーム２０に重ね、次いで、取り付ける垂直部４４の先端部をネットの端縁のうち環６１と環６１の間に位置する網目に通し、次いで環６１に通し、さらに次の環６１と環６１の間に位置する網目に通し、これを繰り返して垂直部４４を挿通することによって、各種ネットが垂直部４４を介して操作用フレーム３１に取り付けられる。水平部４５も垂直部４４と同様にしてネットの端縁とクリップ６０の環６１に通すことによって、ネットを操作用フレーム３１及び直立フレーム２０に取り付けることができる。
【００４０】
垂直部４４と水平部４５を連結するには、水平部４５の一方端を押しバネ４７に抗しながら連結管４６に差し込んた後、戻しながら水平部４５の他端を他方の連結管４６に差し込めば、両連結管４６内の押しバネ４７、４７によって押圧されているから、抜け落ちることがなく一体に連結される。また、一方側に押しつければ他端が連結管４６から引き抜かれることになり、水平部４５を簡単に取り外すことができる。このようにして簡単にネットを取り付けることができると共に、破損したネットの取り替えも容易に行うことができる。
【００４１】
次に、ゴミの投入口６５の構成について説明する。投入口６５は、中間フレーム３３と３４を展開したときの両者の間の可撓性被覆材を長方形状に切り取ることによって形成される。そして、投入口６５の中間フレーム３３と３４側は、補助フレーム４８を介して中間フレーム３３と３４に一体に取り付けられる。補助フレーム４８は真っ直ぐな棒状体であって、クリップ６０によって中間フレーム３３と３４に取り付けられている。前記可撓性被覆材４０がネットの場合には、補助フレーム４８を網目に通し、両端部をそれぞれ中間フレーム３３または中間フレーム３４に固着すればよい。また、中間フレーム３３と３４の間の投入口６５の両側端は、折り畳み自在とされており、図８及び図９に示すように、紐を通して固定されている。
【００４２】
上記構成における簡易ゴミ置場を使用するには、図４のように折り畳まれた状態から、操作用フレーム３１を持ち上げて、突起３１ｃとアーム２４の凹部２４ａとの係止状態を解除すれば、操作用フレーム３１が略Ｖ字状バネ棒２６の押圧力によってフックガード２３を介して押し出されるから、操作用フレーム３１を支えながら水平状態に倒せばよい。このとき、中間フレーム３２，３３，３４は、順次各下端がそれぞれ係止しながら倒れるが、反対側では載置することになるので倒れるときの衝撃はほとんどなく、傾斜角度が規制されることになる。
【００４３】
上記の通り、中間フレーム３２，３３，３４は、可撓性被覆材４０の緊張によって傾斜角度が規制されるのではないから、可撓性被覆材４０との連結部分や可撓性被覆材４０自体に過度の負担を与えることがない。このように、操作用フレーム３１を倒すのみで展開状態となり、各フレームによってゴミ収納空間が形成されることになる。このとき、中間フレーム３３と３４の間には、ゴミ投入口６５が開口している。
【００４４】
また、起倒フレーム３０の展開状態においては、操作用フレーム３１のステー３１ｄを接地させることにより、地面との間に隙間が形成されるので、手を挟むことがなく、また、操作用フレーム３１を持ち上げるときの手の差し込み隙間となる。
【００４５】
次に、投入口６５から、蓋５０を引き出す。蓋５０を引き出すには、取っ手５２を持って引き上げれば、ガイドバー５３が突片５４ｂの挿通孔を摺動しながら引き上げられ、略Ｕ字状部５３Ａに当接する（図８参照）。ガイドバー５３のＵ字状部５３Ａが突片５４ｂに当接したときに手前に倒せば、ガイドバー５３の枠体５１から突出した部分が中間フレーム３３に載置して係止される。これによって、投入口６５は、蓋５０によって塞がれることになる。従って、一般ゴミを投入するには、蓋５０を持ち上げて投入口６５を開口させ、この開口部分から投入すればよい。
【００４６】
また、収納された一般ゴミを回収する際、または回収後に折り畳み状態とするには、まず、蓋５０を収納する。蓋５０の収納は、引き出すときとは反対に、図８に示すように、蓋５０の端部を持ち上げてそのまま降ろせば、ガイドバー５３を連結具５４の突片５４ｂの挿通孔を摺動しながら、水平部５３ａ側に当接して垂直に吊り下げられる（図９参照）。次いで、操作用フレーム３１を引き起こして起立させ、さらに、操作用フレーム３１を持ち上げながら、略Ｖ字状バネ棒２６に抗してフックガード１８を押しつけ、直立状態でそのまま引き降ろせばよい。操作用フレーム３１の下端部の長孔３１ａの下面と取付軸３５との間に間隔が形成されているから、操作用フレーム３１を持ち上げることができ、引き下ろしたときには突起３１ｃが凹部２４ａに係止すると共に、下端部がストッパー１６に当接しているから、倒れることがない。
【００４７】
上記の通り、折り畳み状態においては、突起３１ｃが凹部２４ａに係止していることと、ストッパー１６によって二重にロックされているから、何らかの理由によって突起３１ｃと凹部２４ａとの係止状態が解除されても、起倒フレーム３０が倒れて展開状態となることはない。また、折り畳み状態においては、前方に突出する部分はないから、通行の邪魔になることもなく、交通を妨げることもない。
【図面の簡単な説明】
【００４８】
【図１】この発明の実施形態を示す展開状態の斜視図である。
【図２】展開状態の内側から見た要部拡大斜視図である。
【図３】同じく下端部の要部を拡大した断面側面図である。
【図４】折り畳み状態の内側から見た要部拡大斜視図である。
【図５】可撓性被覆材を省略した状態の要部側面図である。
【図６】同じく可撓性被覆材を省略した状態の要部平面図である。
【図７】蓋の平面図である。
【図８】蓋を持ち上げて投入口を開口させた状態の要部斜視図である。
【図９】蓋を引き下ろして内側に収納した状態の要部斜視図である。
【図１０】蓋と連結具との関係を示す説明用斜視図である。
【図１１】操作用フレームと補助フレームとの取り付け状態を示す一部正面図である。
【図１２】補助フレームを示す一部を省略した断面正面図である。
【図１３】クリップを示す正面図である。
【図１４】操作用フレームと補助フレームとの取り付け状態を示す断面図である。
【符号の説明】
【００４９】
１０：固定ベース  
１１：接地板  
１２：軸受板  
１３：溝  
１４：アンカー孔  
１５：水抜孔  
１６：ストッパー
１７：パネル  
２０：直立フレーム  
２１：背板  
２２：カレンダー表示部  
２３：フックガード  
２４：アーム
２５：取付板  
２６：略Ｖ字状バネ棒
３０：起倒フレーム  
３１：操作用フレーム
３２，３３，３４：中間フレーム
４０：可撓性被覆材  
４３：補助フレーム  
４４：垂直部  
４５：水平部
４６：連結管  
４７：押しバネ
４８：補助フレーム
５０：蓋  
５１：枠体  
５２：取っ手
５３：ガイドバー  
６０：クリップ  
６１：環  
６２：係止部
６５：ゴミ投入口
【図１】
2005067875.tif 000003
【図２】
2005067875.tif 000004
【図３】
2005067875.tif 000005
【図４】
2005067875.tif 000006
【図５】
2005067875.tif 000007
【図６】
2005067875.tif 000008
【図７】
2005067875.tif 000009
【図８】
2005067875.tif 000010
【図９】
2005067875.tif 000011
【図１０】
2005067875.tif 000012
【図１１】
2005067875.tif 000013
【図１２】
2005067875.tif 000014
【図１３】
2005067875.tif 000015
【図１４】
2005067875.tif 000016